(57)【要約】【課題】  トラッキングを抑制できる電線のコネクタを提供する。【解決手段】  互いに嵌め合わされる第1コネクタ部100と第2コネクタ部200とを有する電線用コネクタである。この第1コネクタ部は、内側から順に、内部導体111、絶縁層112、外部導体113およびシース114を有する電線の端部を段剥ぎし、これらを段階的に露出した電線端末と、露出された内部導体に固定された接続端子部120と、この露出された絶縁層の外側に設けられた放電抑止部材130とを有する。第2コネクタ部は、放電抑止部材と接合されると共に、導電経路となる絶縁層表面の周囲を覆う放電抑止層220を有する。そして、放電抑止部材130と放電抑止層220との間に絶縁ゲル300が介在されている。【選択図】  図５
2006236633.tif 000002
【特許請求の範囲】
【請求項１】
内部導体、絶縁層、外部導体を順次段階的に露出した電線端末と、
露出された内部導体に固定された接続端子部と、
この露出された絶縁層の外側に配される絶縁ゲルとを有することを特徴とする電線用コネクタ。
【請求項２】
外部導体と同軸に配される外部導体接続層と、
前記外部導体と外部導体接続層との間にはめ込まれる外部導体固定部材と、
前記外部導体接続層の内側において絶縁層と同軸に配される放電抑止層と、
前記露出された絶縁層と放電抑止層との間にはめ込まれる放電抑止部材とを有し、
前記絶縁ゲルは、放電抑止層と放電抑止部材との間に充填されていることを特徴とする請求項1に記載の電線用コネクタ。
【請求項３】
さらに、前記放電抑止部は、その外周に溝を有し、
前記絶縁ゲルは、この溝内に充填されていることを特徴とする請求項2に記載の電線用コネクタ。
【請求項４】
さらに、前記外部導体接続層の外側を覆うハウジングと、
このハウジング、外部導体接続層および放電抑止層の各々に形成される絶縁ゲルの注入孔とを有することを特徴とする請求項2に記載の電線用コネクタ。
【請求項５】
前記各注入孔には、蓋を有することを特徴とする請求項4に記載の電線用コネクタ。
【請求項６】
前記電線用コネクタは、
前記電線端末と、接続端子部と、外部導体固定部材と、外周に溝が形成された放電抑止部材とを有する第１コネクタ部と、
絶縁ゲルの注入孔が形成された外部導体接続層および放電抑止層と、前記接続端子部と係合する抜け止め係合部とを有する第２コネクタ部とで構成され、
第１・第２コネクタ部をはめ合わせて接続端子部と抜け止め係合部と係合した際、外部導体層および放電抑止層に形成される絶縁ゲルの注入孔と、放電抑止部材の外周に形成される溝の位置とが一致するように構成されたことを特徴とする請求項2に記載の電線用コネクタ。
【発明の詳細な説明】
【技術分野】
【０００１】
本発明は、ハイブリッド自動車用高圧ワイヤハーネスなどの接続に好適な電線用コネクタに関するものである。
【背景技術】
【０００２】
ハイブリッド自動車のバッテリ、コンバータ、インバータ、モータ間には高圧が印加され、パワーが供給されている。特に、コンバータからインバータ、モータの電力系では高圧が印加され、例えば市販車では500Vまでの電圧で供給されている例があり、さらにモータの高出力化に伴い高電圧化されてきている。
【０００３】
このような電力系統での電力供給には、図６に記載のワイヤハーネス用電線が用いられている。これは中心側から順に内部導体111、絶縁層112、外部導体113、シース114を具えている（例えば特許文献１）。
【０００４】
また、このような電線の端末接続には、図６〜図８に記載のコネクタが利用されている。このコネクタは、互いに嵌め合う第1コネクタ部と第2コネクタ部とから構成される。
【０００５】
第1コネクタ部の形成には、図６に示すように、まず、中心から順に内部導体111、絶縁層112、外部導体113、シース114を有する電線端末110を段剥ぎし、内部導体111、絶縁層112、外部導体113を段階的に露出した状態にしておく。一方、外部導体固定部材140と、接続端子部120とを用意する。外部導体固定部材140はリング状の部材で、露出した外部導体113の外周に嵌められ、接続端子部120は露出された内部導体111に固定される。この接続端子部120は、一端が内部導体に圧着される圧着部121を、他端が後述する第2コネクタ部にはめ込まれる接触部122を有する。そして、その接触部122には、その底面に嵌合孔122aが形成され、その嵌合孔122aに次述する第2コネクタ部のロック爪が嵌め合わされて抜け止めとして機能される。
【０００６】
一方、第2コネクタ部200は、第1コネクタ部に嵌合されて、コネクタの先端側を構成する部材で、図７に示すように、ほぼブロック状のコネクタハウジング210を有し、このハウジング210の一端面に第1コネクタ部の挿入孔211が形成されている。挿入孔211内には、第1コネクタ部の外部導体固定部材140に接触する板状の外部導体接続層230と、第1コネクタ部の接触部122と係合する抜け止め係合部240が設けられている。そして、抜け止め係合部240には前記第1コネクタ部の嵌合孔に嵌め込まれるロック爪240bが形成されている。
【０００７】
上記の第1コネクタ部と第2コネクタ部は、図８に示すように組み合わされる。つまり、第2コネクタ部の挿入孔に第1コネクタ部を差し込み、外部導体固定部材140の外周に外部導体接続層230を接触させると共に、ロック爪240bを第1コネクタ部の嵌合孔122aに嵌め込んで、両コネクタ部を互いに抜けないように接続する。
【０００８】
【特許文献１】特開平6-124608号公報（図17）
【発明の開示】
【発明が解決しようとする課題】
【０００９】
しかし、上記のコネクタでは、いわゆるトラッキング現象を生じて、電力の供給が正常に行えない場合が生じるという問題があった。
【００１０】
上記のコネクタでは、段階的に露出された内部導体と外部導体との間における絶縁層表面で放電を生じる可能性がある。この間はポリエチレンなどからなる絶縁層により絶縁が確保されているが、絶縁層表面は空気に接している。初期状態では絶縁層表面に異物が付着していないので絶縁が確保されている。例えば、異物による汚損のない清浄な絶縁層表面では1cm当たり10kVを超える絶縁耐力を持つ。しかし、この部分は空気に接しており結露等で水分が付着して、空中の粉塵が付着する可能性がある。粉塵には例えば塩分等の成分もあり、このようなイオン性の物質が付着した場合には、導電経路が形成される。その結果、絶縁層表面で温度上昇が発生し、最終的に放電に至るトラッキング現象を生じることがある。例えば、イオン性の物質で絶縁層表面が汚損された場合には、数100V程度でフラッシオーバーを起こすことがある。このような放電現象が生じた場合には、ショートした状態が発生し、電線による電力の供給ができない状態となる。
【００１１】
従って、本発明の主目的は、トラッキングを抑制できる電線のコネクタを提供することにある。
【課題を解決するための手段】
【００１２】
本発明は、絶縁層表面の導電経路を遮断すること、特に、導電経路周辺を絶縁ゲルを用いて封止することで上記の目的を達成する。
【００１３】
本発明電線用コネクタは、内部導体、絶縁層、外部導体を順次段階的に露出した電線端末と、露出された内部導体に固定された接続端子部と、この露出された絶縁層の外側に配される絶縁ゲルとを有することを特徴とする。
【００１４】
本発明コネクタでは、段剥ぎにより露出された内部導体から外部導体の間に位置する絶縁層の外側に絶縁ゲルを配することで、導電経路を遮断する。これにより、トラッキングの発生を抑制することができる。
【００１５】
本発明コネクタのより具体的な構成としては、外部導体と同軸に配される外部導体接続層と、前記外部導体と外部導体接続層との間にはめ込まれる外部導体固定部材と、前記外部導体接続層の内側において絶縁層と同軸に配される放電抑止層と、前記露出された絶縁層と放電抑止層との間にはめ込まれる放電抑止部とを有することが好ましい。その場合、絶縁ゲルは、放電抑止層と放電抑止部材との間に充填される。
【００１６】
この構成によれば、電線の外部導体を、外部導体固定部材と外部導体接続層とを介してコネクタの接続相手と導通させることができる。また、露出された絶縁層を、放電抑止部を境として電線の先端側と根元側に区画することができる。そして、放電抑止層と放電抑止部材との間に絶縁ゲルを充填することで、放電抑止層と放電抑止部材の界面を封止し、露出された導体層と外部導体との間に形成される導通経路を確実に遮断することができる。
【００１７】
特に、前記放電抑止部材は、その外周に凹状の溝を有することが好ましい。この場合、絶縁ゲルは、前記溝内に充填される。
【００１８】
放電抑止部の外周に凹状の溝を形成すれば、絶縁ゲルの充填箇所を特定でき、充填後の絶縁ゲルの移動を抑制して、上記導通経路の遮断効果を一層高めることができる。
【００１９】
また、本発明コネクタは、代表的には、前記外部導体接続層の外側を覆うハウジングを具えている。その際、このハウジング、外部導体接続層および放電抑止層の各々に形成される絶縁ゲルの注入孔を形成することが好ましい。
【００２０】
この構成によれば、ハウジングの外側から、放電抑止部材と放電抑止層との間に容易に絶縁ゲルを充填することができる。
【００２１】
特に、上記の注入孔を有する場合、各注入孔には、絶縁ゲルの流出防止用の蓋を有することが好ましい。
【００２２】
この蓋を用いることで、充填後の絶縁ゲルがハウジングの外部に流出することを抑制できる。
【００２３】
その他、本発明電線用コネクタは、互いにはめ合わされる第１コネクタ部と第２コネクタ部とで構成することが望ましい。第１コネクタ部は、前記電線端末と、接続端子部と、外部導体固定部材と、外周に溝が形成された放電抑止部材とを有する。一方、第２コネクタ部は、絶縁ゲルの注入孔が形成された外部導体接続層および放電抑止層と、前記接続端子部と係合する抜け止め係合部とを有する。これら第１・第２コネクタ部をはめ合わせて接続端子部と抜け止め係合部と係合した際、外部導体層および放電抑止層に形成される絶縁ゲルの注入孔と、放電抑止部材の外周に形成される溝との位置が一致するように構成する。
【００２４】
この構成によれば、接続端子部と抜け止め係合部と係合することで、いわば自動的に且つ正確に絶縁ゲルの注入孔と、放電抑止部材の溝との位置を一致させることができる。その結果、(1)上記の位置合わせ作業が容易になり、(2)外部導体層の外側から放電抑止部材の溝に確実に絶縁ゲルを注入することができ、(3)絶縁ゲルの流出により絶縁性能が低下する懸念が無くなる。
【００２５】
以下、本発明の構成をより詳しく説明する。
【００２６】
本発明コネクタは、第1コネクタ部と第2コネクタ部とから構成し、両コネクタ部を互いに嵌合することで、単一のコネクタを形成することが好ましい。両コネクタ部の嵌合により単一のコネクタを形成することで、内部導体と外部導体との間における絶縁層表面の導電経路を効果的に遮断する構造を容易に構築することができる。特に、第１コネクタ部に放電抑止部材を、第２コネクタ部に放電抑止層を設けることで、導電経路を覆う構成を容易に形成できる。そして、各コネクタ部には絶縁ゲルを充填するための注入孔を形成しておくことが好適である。各コネクタ部を個別に説明すると共に、絶縁ゲルとその充填するための構成について説明する。
【００２７】
〔第1コネクタ部〕
第1コネクタ部は、代表的には、電線端末、接続端子部、放電抑止部材を有する。その他、通常は外部導体固定部材も有する。
【００２８】
（電線端末）
本発明コネクタが形成される電線は、例えば内部導体、絶縁層、外部導体、シースを有する。必要に応じて、内部半導電層および外部半導電層を設けてもよい。コネクタ形成時、電線端部の被覆層を段剥ぎして、内部導体、絶縁層、外部導体を順次段階的に露出させる。
【００２９】
＜内部導体＞
内部導体は、必要な送電容量が確保できるものであればよく、特に材質・構成が限定されるわけではない。材質としては、銅線、錫めっき銅線、アルミ線、アルミ合金線、鋼心アルミ線、カッパーフライ線、ニッケルめっき銅線、銀めっき銅線、銅覆アルミ線などが挙げられる。内部導体の構成としては、単線とより線が考えられるが、一般に複数の素線をより合わせたより線構造が好適である。
【００３０】
＜絶縁層＞
絶縁層は電線の電圧に応じた耐電圧性を具える構成とする。絶縁層の材質としては、エチレンプロピレンゴム、ビニル樹脂(例えば、ポリ塩化ビニル、ポリ塩化ビニリデン、ポリビニルアルコール、ポリスチレンなど)、ポリエチレン、クロロスルフォン化ポリエチレンゴム、珪素ゴム、ポリテトラフルオロエチレンなどが挙げられる。特に、架橋ポリオレフィン、中でも架橋ポリエチレンが好適である。
【００３１】
＜内部・外部半導電層＞
絶縁層の内側に内部半導電層を設け、絶縁層の外側に外部半導電層を設けることで、部分放電の発生を抑制することができる。
【００３２】
内部・外部半導電層は、樹脂と導電性フィラーとの混合物で構成することが好ましい。導電性フィラーの混合により、所定の導電率を半導電層に付与することができる。樹脂はポリエチレン、ポリ塩化ビニルおよびポリ酢酸ビニルよりなる群から選択される少なくとも一種が望ましい。フィラーはカーボンブラックが好適に利用できる。
【００３３】
＜外部導体＞
外部導体は銅線などの金属線の編組材を用いることができる。外部導体を設けることで、誘導防止用の遮蔽と危険防止用の遮蔽を行なうことができる。
【００３４】
＜シース＞
その他、外部導体の上にシースを設けてもよい。シースを設けることで、シールド層の機械的保護を図ることができる。シースは、一般にクロロプレンゴム、ビニル樹脂、ポリエチレンなどで構成される。
【００３５】
＜接続端子部＞
露出された内部導体には、接続端子部が固定される。この接続端子部は、本発明コネクタが嵌合される機器側コネクタの端子部に接続される。接続端子部の構成例としては、一端が内部導体に圧着される圧着部を、他端が第2コネクタ部にはめ込まれる接触部を有するものが挙げられる。そして、その接触部には、第2コネクタ部との抜け止めを設けることが望ましい。例えば、接触部の底面に嵌合孔を形成し、その嵌合孔に第2コネクタ部のロック爪が嵌め合わされる様に構成すればよい。
【００３６】
＜放電抑止部材＞
第1コネクタ部の露出した絶縁層の外周には放電抑止部材を設ける。放電抑止部材は、絶縁材料で形成され、後述する絶縁ゲルと共に、絶縁層表面に発生しようとする導電経路を遮断する。この放電抑止部材の材料は、トラッキングの発生を抑制できる程度の絶縁性を有するものであればよい。代表的には、ポリエチレンやゴムなどが挙げられる。また、放電抑止部材の形状は環状が好適である。環状とすることで、絶縁層の外側につば状に放電抑止部材を設置することが容易にできる。環状とした放電抑止部材の外径は、後述する外部導体固定部材の外径よりも若干小さい程度が好ましい。このような外径とすることで、放電抑止部材と放電抑止層との接合を行うと共に、外部導体固定部材と外部導体接続層との接続を確実に行うことができる。
【００３７】
＜外部導体固定部材＞
外部導体固定部材は、例えばリング状の部材で、露出した外部導体の外周に嵌められ、第2コネクタ部の外部導体接続層と接続される。この固定部材の材料には、導電性材料を用いる。例えば銅、銅合金、錫メッキ銅、導電性樹脂などが好適に利用できる。
【００３８】
〔第2コネクタ部〕
第2コネクタ部は、代表的には、第1コネクタ部が挿入される挿入孔を持ったハウジングと、ハウジング内に設けられた放電抑止層と、第1コネクタ部の接続端子部が嵌合される抜け止め係合部を有する。
【００３９】
＜ハウジング＞
ハウジングは、第2コネクタ部の外形を形成すると共に絶縁を確保するケースとしての機能を有する。例えば、第2コネクタ部は第1コネクタ部の先端側にはめ込まれ、ハウジングは第1コネクタ部の差し込み口を形成する。代表的には、ほぼブロック状の形状であり、材質は電気絶縁材料として利用される種々の樹脂が用いられる。より具体的には、ポリブチレンテレフタレートなどが好適に利用できる。
【００４０】
ハウジングには第1コネクタ部の挿入孔が設けられる。1本の電線を接続する場合は一つの挿入孔があいたハウジングでよいが、複数の挿入孔を有する端末部材とすれば、各挿入孔に電線を差し込むことで、複数の電線を一括して接続することができる。例えば、3相の電線を接続する第2コネクタ部のハウジングでは、ハウジング自体を扁平なブロック状とし、その一端面に３つの挿入孔を並列すればよい。複数の挿入孔を有する場合、もちろん挿入孔ごとに後述する放電抑止層や係合端子部が形成される。
【００４１】
＜放電抑止層＞
放電抑止層は、ハウジング内に配され、第2コネクタ部に挿入された第1コネクタ部の導電経路発生箇所周辺を覆って、この発生箇所に異物が付着することを回避し、導電経路の形成を抑制する機能を有する。第2コネクタ部に設ける放電抑止層も放電抑止部材と同様の材質で構成することが好ましい。また、この抑止層の形態は円筒状が望ましい。円筒状の抑止層とすることで、第1コネクタ部が第2コネクタ部に差し込まれた際、導電経路となる絶縁層表面を放電抑止部材と放電抑止層で囲まれる空間内に封止することが容易にできる。
【００４２】
＜抜け止め係合部＞
抜け止め係合部は、ハウジングの挿入孔内に設けられて、第1コネクタ部の接続端子部と係合されることで第1・第2コネクタ部の抜けを防止する。抜け止め係合部は、接続端子部と嵌め合いできる構成であれば良く、絶縁材料で構成しても導電材料で構成してもいずれでも良い。例えば、抜け止め係合部には、第1コネクタ部の嵌合孔に嵌め込まれるロック爪を形成することが挙げられる。
【００４３】
〔絶縁ゲルとその充填のための構成〕
上記の第１・第２コネクタ部を組み合わせたコネクタにおいて、絶縁ゲルは、露出された絶縁層の外側であって、内部導体から外部導体における導通経路を遮断することに利用される。例えば、放電抑止部材と第２コネクタ部の放電抑止層との間、特に両者の接合面に充填されることにより、放電抑止部材と放電抑止層の間の隙間を無くし、トラッキングの発生を確実に阻止する。
【００４４】
絶縁ゲルは、絶縁層の外側で流動することなく保持されればよい。そのため、絶縁層の外側において、絶縁ゲルを取り囲む空間を形成することが重要である。
【００４５】
例えば、放電抑止部材として、絶縁層の挿通孔を有する２枚の環状板を２枚用意し、所定の間隔を開けてこれら環状板を絶縁層の外側に嵌め込んで、両環状板の間に絶縁ゲルを充填する構成が挙げられる。この場合、コネクタの径方向における絶縁層の表面から放電抑制層の内側までの間に絶縁ゲルが充填されることになる。
【００４６】
その他、放電抑止部材として、絶縁層の挿通孔を有する1枚の環状板を用い、環状板の外周に凹状の溝を形成して、その溝を絶縁ゲルの充填箇所としてもよい。この場合、コネクタの径方向において、絶縁層の上にはまず放電抑止部材が位置し、その外周側の溝が形成された箇所に絶縁ゲルが位置することになる。放電抑止部材の溝に絶縁ゲルを充填すれば、絶縁ゲルの移動を抑制できると共に、用いる放電抑止部材も１枚でよい。
【００４７】
また、電線用コネクタには、絶縁ゲルを充填するための注入孔を形成することが好ましい。例えば、ハウジング、外部導体接続層、放電抑止層の各々に注入孔を形成しておく。これら各構成部材に注入孔を形成しておけば、ハウジングの外部からでも容易に放電抑止層の内側にまで絶縁ゲルを充填することができる。より具体的には、ハウジング、外部導体接続層、放電抑止層の各々の注入孔を同軸状に形成することが好ましい。各注入孔が同軸状に形成されていれば、絶縁ゲルの充填作業が容易で、充填後の絶縁ゲルの流出も防止しやすい。
【００４８】
特に、放電抑止部材の外周に溝を形成している場合、第１・第２コネクタ部をはめ合わせて接続端子部と抜け止め係合部と係合した際に、絶縁ゲルの各注入孔と、放電抑止部材の外周に形成される溝の位置とが一致するように構成することが好ましい。より具体的には、露出した絶縁層上の電線長手方向における放電抑止部材の位置と、ハウジング、外部導体接続層、放電抑止層の各々の注入孔の位置とを調整すれば良い。この構成によれば、注入孔と溝との位置合わせ作業を容易に行なうことができる。
【００４９】
そして、上記の注入孔には、蓋を設けることで、絶縁ゲルの流出を防止することができる。蓋には、注入孔を塞ぐことができるものであれば、様々な構成のものが利用できる。特に、プラスチックなどの絶縁材料で形成され、注入孔に圧入して用いるものが好適である。
【発明の効果】
【００５０】
本発明コネクタによれば、次の効果を奏することができる。
【００５１】
（１）電線端部で段剥ぎにより露出された絶縁層表面の導電経路を、絶縁ゲルを用いて遮断することで、安全に電力を給電することができる。
【００５２】
（２）放電抑止層により導電経路の生じる箇所周辺を覆うことで、導電経路発生箇所に異物が付着することを抑制し、効果的に導電経路の発生を抑制することができる。
【００５３】
（３）放電抑止部材、放電抑止層および絶縁ゲルを組み合わせて用いることで、放電抑止部材と放電抑止層との隙間をなくし、トラッキングの発生をより確実に防止することができる。
【００５４】
（４）放電抑止部材の外周に絶縁ゲルが充填される溝を形成することで、簡易な構成にて絶縁ゲルの移動を抑制することができる。
【００５５】
（５）ハウジング、外部導体接続層および放電抑止層の各々に絶縁ゲルの注入孔を形成することで、ハウジングの外部から放電抑止層の内側に容易に絶縁ゲルの充填が行える。
【００５６】
（６）絶縁ゲルの注入孔に蓋を設けることで、絶縁ゲルの流出を効果的に防止できる。
【００５７】
（７）絶縁ゲルの各注入孔と、放電抑止部材の外周に形成される溝との位置合わせに、接続端子部とこの端子部に係合する抜け止め係合部の係合を利用することで、上記位置合わせ作業を容易に行なうことができる。
【発明を実施するための最良の形態】
【００５８】
以下、本発明の実施の形態を説明する。
【実施例１】
【００５９】
図１〜図５に基づいて本発明コネクタを説明する。本発明コネクタは、電気自動車におけるワイヤハーネス用電線の端部に形成された第1コネクタ部100と、第1コネクタ部の先端に嵌め込まれる第2コネクタ部200とから構成される。両コネクタ100,200は、互いに接合されることで、電線端部における単一の電線側コネクタを構成する。
【００６０】
〔第1コネクタ部〕
第1コネクタ部100は、図１、図２(A)に示すように、電線端末110、接続端子部120、放電抑止部材130および外部導体固定部材140を有する。
【００６１】
本発明コネクタが形成される電線は、内部導体111、内部半導電層、絶縁層112、外部半導電層、外部導体113、シース114を有する。コネクタ形成時、電線端部の被覆層を段剥ぎして、内部導体111、絶縁層112、外部導体113を順次段階的に露出させる。
【００６２】
各構成部材の具体的構造・材質は次の通りである。
内部導体：銅より線
内部・外部半導電層：ポリエチレンとカーボンブラックの混合物
絶縁層：ポリエチレン
外部導体：軟銅線からなる編組材
シース：ポリ塩化ビニル
【００６３】
上記の電線における露出された内部導体111には、第2コネクタ部側と接続するための接続端子部120が固定される。この接続端子部120は、一端に内部導体111と圧着される圧着部121を、他端に第2コネクタ部200にはめ込まれる接触部122を有する。圧着部121は、一部に切欠が形成された円筒状の金属片で、内部導体111の外周にはめ込まれて、圧着機で圧縮することにより内部導体111に固定される。接触部122は断面がほぼ矩形の角柱状金属片で、上面側に切欠が形成され、下面側に第2コネクタ部200との係合を図るための嵌合孔122aが形成されている。そして、圧着部121と接触部122は平板状の連結片123で一体化されている。
【００６４】
また、第1コネクタ部の露出した絶縁層112の外周には放電抑止部材130を設ける。放電抑止部材130は、ポリエチレンで形成された薄い環状部材で、露出された絶縁層112の外径よりも極わずかに小さな内径と、後述する外部導体固定部材の外径よりも若干小さく、かつ第2コネクタ部の放電抑止層の内径よりも極わずかに大きい外径を有する。
【００６５】
この放電抑止部材130の外周には溝131が形成されている。ここでは、断面が矩形の溝131を形成した。溝131の形状は特に限定されない。この溝131は、後述するように絶縁ゲル300（図５参照）が充填される箇所になる。この抑止部材130は第2コネクタ部の放電抑止層220の内周にはめ込まれる。
【００６６】
さらに、第1コネクタ部の露出した外部導体113の外周には外部導体固定部材140が設けられる。この固定部材140は錫メッキ銅で構成された薄い環状部材で、露出された外部導体113の外径よりも極わずかに小さな内径と、第2コネクタ部の外部導体接続層230の内径よりも極わずかに大きな外径を有する。この固定部材140は第2コネクタ部の外部導体接続層230の内周にはめ込まれる。
【００６７】
第1コネクタ部100を形成する手順は、まず外部導体固定部材140を電線の外部導体113の外周にはめ込み、続いて放電抑止部材130を絶縁層112の外周にはめ込む。その後、内部導体111に接続端子部120を取り付ける。
【００６８】
〔第2コネクタ部〕
第2コネクタ部200は、図２(B)に示すように、第1コネクタ部100が挿入される挿入孔211を持ったハウジング210と、ハウジング210内に設けられた放電抑止層220と、放電抑止層220の外側に形成された外部導体接続層230と、第1コネクタ部の接続端子部に嵌合される抜け止め係合部240とを有する。さらに、ハウジング210、放電抑止層220、外部導体接続層230の各々には、絶縁ゲルの注入孔が形成されている。
【００６９】
＜ハウジング＞
ハウジング210は、ポリブチレンテレフタレートからなる扁平なブロック状部材で、一端面に第1コネクタ部の挿入孔211が形成されている。ここでは１心の電線端末を接続するため、1つの挿入孔211が形成されたハウジングを用いている。また、このハウジング210には、絶縁ゲルの注入孔212が形成されている。本例では、ハウジング軸方向の中央付近に１つの注入孔212を設けた。この注入孔212は、第１コネクタ部の接続端子部120と第２コネクタ部の抜け止め係合部240を係合した際、丁度、放電抑止部材の溝131と位置が合う箇所に形成されている。
【００７０】
このハウジング210の内部には、放電抑止層220が設けられている。放電抑止層220は、第2コネクタ部200に挿入された第1コネクタ部100の導電経路発生箇所周辺を覆って、この発生箇所に異物が付着することを回避し、導電経路の形成を抑制する機能を有する。ここでは、放電抑止層220も放電抑止部材130と同様のポリエチレンで構成した。
【００７１】
この抑止層220は円筒状に構成されている。つまり、第1コネクタ部100が第2コネクタ部200に挿入された際、放電抑止部材130の外周に放電抑止層220がはめ込まれることで、導電経路となる絶縁層表面を放電抑止部材130と放電抑止層220で囲まれる空間内に封止する。これにより、導電経路発生箇所に異物が付着することを抑制し、効果的に導電経路の発生を抑制する。
【００７２】
また、この抑止層220にも絶縁ゲルの注入孔221が形成されている。この注入孔221もハウジング210に形成した注入孔212と同軸に形成されている。
【００７３】
一方、ハウジング210内で放電抑止層220の外周には外部導体接続層230が同軸に形成されている。この接続層230も円筒状の部材で、外部導体113と同様に軟銅線からなる編組材で構成される。第1コネクタ部100が第2コネクタ部200に挿入された際、この接続層230の内側に外部導体固定部材140がはめ込まれることで、第1コネクタ部の外部導体113を第2コネクタ部の接続層230へと接続する。
【００７４】
この外部導体接続層230にも絶縁ゲルの注入孔231が形成されている。この注入孔231もハウジング210や抑止層220に形成した注入孔212,221と同軸に形成されている。
【００７５】
そして、抑止層220と外部導体接続層230の間において、各層の注入孔221,231と同軸に漏れ防止リング250が固定されている。このリングは、抑止層220と外部導体接続層230の間の隙間を埋め、抑止層220および外部導体接続層230に設けた注入孔221,231から絶縁ゲルが流出することを防止する。ここでは、絶縁材料により漏れ防止リング250を構成した。
【００７６】
さらに、ハウジング内で放電抑止層220の内周には、抜け止め係合部240が設けられている。この抜け止め係合部240は、第1コネクタ部の接続端子部120と係合されることで両コネクタ部100、200の抜けを防止する。ここでは、平板状のベース240aにロック爪240bを突出させた樹脂製の抜け止め係合部240を用いた。このロック爪240bは前述した第1コネクタ部の嵌合孔122aに係合されることで、第2コネクタ部200から第1コネクタ部100が不用意に抜けることを防止する。
【００７７】
以上の第1コネクタ部100と第2コネクタ部200は、前者を後者の挿入孔211に差し込むことで接続が行われる。すなわち、図３に示すように、接続端子部120の嵌合孔122aに抜け止め係合部のロック爪240bが係合される。同時に、放電抑止層の内周に放電抑止部材130がはめ込まれ、外部導体接続層230の内周に外部導体固定部材140がはめ込まれて両コネクタ100,200が接続される。
【００７８】
その際、ハウジング210、放電抑止層220、外部導体接続層230の各々に設けた注入孔212,221,231は、放電抑止部材の溝131と位置合わせされることになる。その状態で、これら注入孔212,221,231を通じて溝131内に絶縁ゲル300を注入する（図４参照）。絶縁ゲル300には、シリコン樹脂が適しており、放電抑止部材の溝131に充填した際、放電抑止部材130と放電抑止層220の界面から絶縁ゲル300が漏れない程度に粘度調整して用いる。また、注入時に絶縁ゲル300内に気泡が混じらないように注意する。この注入は、例えば放電抑止層220に設けた注入孔221にまで絶縁ゲル300が達する程度まで行う。
【００７９】
絶縁ゲル300の注入が完了したら、ハウジングの注入孔212、外部導体接続層の注入孔231および漏れ防止リング250内を埋める蓋260を設ける（図５参照）。ここでは、プラスチック製で縦断面がほぼ矢印状の蓋260を用いた。この蓋260は先端側に細径部が形成され、中間に円錐台状の太径部が形成され、後端側に再度細径部が形成されている。そして、細径部が丁度注入孔と漏れ防止リング250の内側に圧入するのに適した径であり、太径部はこれら注入孔221,231や漏れ防止リング250の内径よりも太いため、一旦圧入すれば太径部がハウジング210の内側に引っ掛かり、容易に蓋260が外れないようにできる。
【００８０】
以上の本発明コネクタによれば、絶縁ゲル300により放電抑止部材130と放電抑止層220との界面を絶縁ゲル300で充填することにより、確実に内部導体11から外部導体113への導通経路を遮断することができる。
【産業上の利用可能性】
【００８１】
本発明コネクタは、種々の電線の接続に利用できるが、自動車用電線の接続に好適に利用できる。とりわけ、高電圧化が進む電気自動車やハイブリッド自動車のバッテリ、コンバータ、インバータ、モータ、ジェネレータ間の接続に適用することが期待される。
【図面の簡単な説明】
【００８２】
【図１】実施例１の本発明第1コネクタ部の分解状態を示し、(A)は電線端末の模式正面図、（B）は外部導体固定部材の模式正面図、(C)は放電抑止部材の模式正面図、(D)は接続端子部の模式三面図、(E)は外部導体固定部材の模式側面図、(F)は放電抑止部材の模式側面図である。
【図２】(A)は実施例１の差込前の状態を示す第1コネクタ部の模式構成図、（B）は同第2コネクタ部の模式構成図、（C）は同第2コネクタ部の上面図である。
【図３】実施例１の第1コネクタ部と第2コネクタ部の差込後で絶縁ゲル充填前の状態を示す模式構成図である。
【図４】実施例１の第1コネクタ部と第2コネクタ部の差込後に絶縁ゲルを充填した状態を示す模式構成図である。
【図５】実施例１の第1コネクタ部と第2コネクタ部の差込後に絶縁ゲルの注入孔を封止した状態を示す模式構成図である。
【図６】従来例の第1コネクタ部の模式構成図で、(A)は正面図、（B）は接続端子部の側面図、(C)は接続端子部の底面図である。
【図７】従来例の第2コネクタ部の模式構成図で、(A)は側面図、（B）は正面図である。
【図８】従来例の第1・第2コネクタ部の結合状態を示す構成図である。
【符号の説明】
【００８３】
100  第1コネクタ部
110  電線端末  120  接続端子部  130  放電抑止部材
140  外部導体固定部材
111  内部導体  112  絶縁層  113  外部導体  114  シース
121  圧着部  122  接触部  123  連結片  122a  嵌合孔
131  溝
200  第2コネクタ部
210  ハウジング  220  放電抑止層  230  外部導体接続層
240  抜け止め係合部  250  漏れ防止リング260  蓋
211  挿入孔  212  注入孔  221  注入孔  231  注入孔
240a  ベース  240b  ロック爪
130a  凹部  220a  凸部
300  絶縁ゲル
【図１】
2006236633.tif 000003
【図２】
2006236633.tif 000004
【図３】
2006236633.tif 000005
【図４】
2006236633.tif 000006
【図５】
2006236633.tif 000007
【図６】
2006236633.tif 000008
【図７】
2006236633.tif 000009
【図８】
2006236633.tif 000010